(57)【要約】      （修正有）【課題】漏洩電流を低減させたバックライトアセンブリを提供する。【解決手段】  液晶表示装置は、第１光を発生するための複数個のランプ３１０、前記第１光の輝度分布を均一にして第２光を出射するための光拡散部材３３０、前記ランプと光拡散部材を収納して、前記ランプと対応する部分に、突出部３５５が外方に向け形成された収納部材３５０、前記第２光の提供を受け、液晶を通じて画像を表示するための液晶表示パネルアセンブリ、及び前記収納部材と結合して前記液晶表示パネルアセンブリを前記収納部材に固定するためのトップシャーシ５００を含む。前記バックライトアセンブリは、ランプと対応する収納部材の対応地点に突出部又は凹陥部を形成することにより、ランプ電流の漏洩を減少させることができる。【選択図】図１３
2006066360.tif 000002
【特許請求の範囲】
【請求項１】
第１光を発生するための複数のランプと、
前記第１光の輝度分布を均一にして第２光を出射するための光拡散部材と、
前記ランプと光拡散部材を収納して、前記ランプと対応する領域が凹陥され外方に向け突出した突出部を有する収納部材と、を含むバックライトアセンブリ。
【請求項２】
前記収納部材は、
前記ランプの下部に位置して、前記第１光を前記光拡散部材に反射するランプ反射板と、
前記ランプ反射板の下部に配置され、底面と前記底面から伸びる側壁で構成され、前記ランプ反射板及び前記ランプを収納するボトムシャーシと、を含むことを特徴とする請求項１記載のバックライトアセンブリ。
【請求項３】
前記収納部材及びランプの該ランプ軸方向に対する垂直断面上で、前記突出部の湾曲点及び前記ランプの中心点は、前記収納部材に対して同一垂直線上に存在することを特徴とする請求項１記載のバックライトアセンブリ。
【請求項４】
前記突出部の断面形態は、ランプの軸方向に対する垂直断面の形状と同じ形状を有することを特徴とする請求項１記載のバックライトアセンブリ。
【請求項５】
前記突出部の断面は、アーチ形であることを特徴とする請求項１記載のバックライトアセンブリ。
【請求項６】
前記突出部をランプの軸方向に対して垂直方向に切断した突出部断面上の全ての点は、切断されたランプ断面上の中心点から同じ距離にあることを特徴とする請求項５記載のバックライトアセンブリ。
【請求項７】
前記突出部の断面は、四角形であることを特徴とする請求項１記載のバックライトアセンブリ。
【請求項８】
前記突出部の幅は、前記収納部材及びランプの該ランプ軸方向に対する断面上で、前記ランプの中心点と突出部の湾曲点を結ぶ線を半径とした円周と、前記収納部材とが交差する二点間の距離であることを特徴とする請求項１記載のバックライトアセンブリ。
【請求項９】
前記反射板は不導体であり、前記ボトムシャーシは前記ランプと対応する領域が凹陥され外方に向け突出した突出部を形成することを特徴とする請求項２記載のバックライトアセンブリ。
【請求項１０】
前記反射板は平面構造を有し、前記反射板と前記突出部との間に内部空間を形成することを特徴とする請求項９記載のバックライトアセンブリ。
【請求項１１】
前記反射板は導体であり、前記ボトムシャーシ及び前記反射板はランプと対応する領域が凹陥されそれぞれ外方に向け突出した第１突出部及び第２突出部を形成することを特徴とする請求項２記載のバックライトアセンブリ。
【請求項１２】
第１光を発生するための複数個のランプと、
前記第１光の輝度分布を均一にして第２光を出射するための光拡散部材と、
前記ランプの下部に位置して、前記第１光を前記光拡散部材に向け反射するランプ反射板と、
前記ランプ反射板の下に配置され、底面と前記底面から伸びる側壁で構成され、前記ランプ反射板と前記ランプを収納するボトムシャーシと、を含み、
前記ボトムシャーシの内部表面上のランプと対応する部分に凹陥部が形成されたことを特徴とするバックライトアセンブリ。
【請求項１３】
前記ボトムシャーシ及びランプの該ランプ軸方向に対する垂直断面上で前記凹陥部の湾曲点及び前記ランプの中心点は、前記ボトムシャーシに対して同じ垂直線上に存在することを特徴とする請求項１２記載のバックライトアセンブリ。
【請求項１４】
前記凹陥部の断面形態は、ランプの軸方向に対する垂直断面の形状と同じ形状を有することを特徴とする請求項１２記載のバックライトアセンブリ。
【請求項１５】
前記凹陥部の断面は、アーチ形であることを特徴とする請求項１２記載のバックライトアセンブリ。
【請求項１６】
前記凹陥部をランプの軸方向に対して垂直方向に切断した凹陥部断面上の全ての点は、切断されたランプ断面上の中心点から同じ距離にあることを特徴とする請求項１５記載のバックライトアセンブリ。
【請求項１７】
前記凹陥部の断面は、四角形であることを特徴とする請求項１２記載のバックライトアセンブリ。
【請求項１８】
前記凹陥部の幅は、前記ボトムシャーシ及びランプの該ランプ軸方向に対する垂直断面上で前記ランプの中心点と凹陥部の湾曲点を結ぶ線を半径とした円周と、前記ボトムシャーシの表面が交差する二点間の距離であることを特徴とする請求項１２記載のバックライトアセンブリ。
【請求項１９】
前記反射板は平面構造を有する不導体であり、前記凹陥部を覆って内部に空間を形成することを特徴とする請求項１２記載のバックライトアセンブリ。
【請求項２０】
前記反射板は導体であり、前記反射板は前記凹陥部方向に凹陥部と同じ形状に凹陥された第２凹陥部を有することを特徴とする請求項１２記載のバックライトアセンブリ。
【請求項２１】
第１光を発生するための複数個のランプと、
前記第１光の輝度分布を均一にして第２光を出射するための光拡散部材と、
前記ランプと光拡散部材を収納して、前記ランプと対応する領域が凹陥され外方に向け突出した突出部を有する収納部材と、
前記第２光の提供を受けて液晶を通じて画像を表示するための液晶表示パネルアセンブリと、
前記収納部材と結合して、前記液晶表示パネルを前記収納部材に固定するためのトップシャーシと、を含む液晶表示装置。
【請求項２２】
第１光を発生するための複数個のランプと、
前記第１光の輝度分布を均一にして第２光を出射するための光拡散部材と、
前記ランプの下部に位置して、前記第１光を前記光拡散部材に向け反射するランプ反射板と、
前記ランプ反射板の下に配置され、底面と前記底面から伸びる側壁で構成され、前記ランプ反射板と前記ランプを収納するボトムシャーシと、
前記第２光の提供を受けて液晶を通じて画像を表示するための液晶表示パネルアセンブリと、
前記収納部材と結合して前記液晶表示パネルを前記収納部材に固定するためのトップシャーシと、を含み、
前記ボトムシャーシの内部表面上のランプと対応する部分に凹陥部が形成されたことを特徴とする液晶表示装置。
【発明の詳細な説明】
【技術分野】
【０００１】
本発明は、バックライトアセンブリ及びこれを有する液晶表示装置に関し、より詳細には収納部材の構造を変形して、ランプの漏洩電流を減少させることができるバックライトアセンブリ及びこれを有する液晶表示装置に関するものである。
【背景技術】
【０００２】
最近では、情報処理装置の技術開発と共に、情報処理装置で処理されたデータをユーザが認識できるように、インタフェーシングするディスプレイ装置の技術開発も共に行われている。
【０００３】
ディスプレイ装置としては、軽量で小型であり、フルカラー、高解像度具現等のような機能を有する液晶表示装置が広く用いられている。前記液晶表示装置は、液晶セルの光学的性質の変化を視覚変化に変換するディスプレイ装置である。このような液晶表示装置はそれ自体は発光しないため、液晶表示パネルの後面に設けられたバックライトアセンブリから光の供給を受けて画像を表示する。
【０００４】
前記バックライトアセンブリは、光源の位置に応じて直下型（ｄｉｒｅｃｔ  ｔｙｐｅ）とエッジ型（ｅｄｇｅ  ｔｙｐｅ）とに分けられる。直下型は、液晶表示パネルの下部に光源を位置させてパネル全面を直接照明する方式であって、エッジ型と比較して複数個の光源を用いることができるので、高い輝度を確保できる長所がある。
【０００５】
一般的な直下型液晶表示装置は、画像を表示するための液晶表示パネルと、前記液晶表示パネルに光を提供するためのバックライトアセンブリを具備する。
【０００６】
前記バックライトアセンブリは、第１光を発生する一つ以上のランプと、前記第１光を拡散させて均一な輝度分布を有する第２光を出射させるための拡散板と、前記第１光を前記拡散板に向け反射させるためのランプ反射板と、で構成される。前記ランプ、ランプ反射板、及び拡散板は、収納容器に収納される。
【０００７】
一般的に前記収納容器は、導体で構成されている。従って、ランプと収納容器との間にキャパシタが形成され、ランプの漏洩電流を発生させる虞がある。これを防止するために、前記ランプと収納容器との間の間隔を拡張させることもできるが、これは液晶表示装置の厚さを増加させる要因になっている。
【発明の開示】
【発明が解決しようとする課題】
【０００８】
本発明の目的は、ランプの漏洩電流を減少させることができるバックライトアセンブリを提供することにある。
【０００９】
本発明の他の目的は、前記バックライトアセンブリを含む液晶表示装置を提供することにある。
【課題を解決するための手段】
【００１０】
本発明の一特徴によるバックライトアセンブリは、複数個のランプ、光拡散部材、及び収納部材を含む。前記ランプは、第１光を発生する。前記光拡散部材は、前記第１光の輝度分布を均一にして、第２光を出射する。前記収納部材は、前記ランプと光拡散部材を収納して、前記ランプと対応する領域が凹陥され外方に向け突出された突出部を含む。
【００１１】
本発明の他の特徴によるバックライトアセンブリは、複数個のランプ、光拡散部材、ランプ反射板、及びボトムシャーシを含む。前記ランプは、第１光を発生する。前記光拡散部材は、前記第１光の輝度分布を均一にして、第２光を出射する。前記ランプ反射板は、前記ランプの下部に位置して、前記第１光を前記光拡散部材へ向け反射する。前記ボトムシャーシは、前記ランプ反射板の下に配置され、底面と前記底面から伸びた側壁で構成され、前記ランプ反射板と前記ランプを収納する。前記バックライトアセンブリは、前記ボトムシャーシの内部表面上のランプと対応する部分に凹陥部が形成されたことを特徴とする。
【００１２】
本発明の一特徴による液晶表示装置は、複数個のランプ、光拡散部材、液晶表示パネルアセンブリ、及びトップシャーシを含む。前記ランプは、第１光を発生する。前記光拡散部材は、前記第１光の輝度分布を均一にして、第２光を出射する。前記収納部材は、前記ランプと光拡散部材を収納し、前記ランプと対応する部分に外方に向け形成された突出部を含む。前記液晶表示パネルアセンブリは、前記第２光の提供を受け、液晶を通じて画像を表示する。前記トップシャーシは、前記収納部材と結合して、前記液晶表示パネルを前記収納部材に固定する。
【００１３】
本発明の他の特徴による液晶表示装置は、複数個のランプ、光拡散部材、ランプ反射板、ボトムシャーシ、液晶表示パネルアセンブリ、及びトップシャーシを含む。前記ランプは、第１光を発生する。前記光拡散部材は、前記第１光の輝度分布を均一にして、第２光を出射する。前記ランプ反射板は、前記ランプの下部に位置して前記第１光を前記光拡散部材へ向け反射する。前記ボトムシャーシは、前記ランプ反射板の下に配置され、底面と前記底面から伸びた側壁で構成され、前記ランプ反射板と前記ランプを収納する。前記液晶表示パネルアセンブリは、前記第２光の提供を受け、液晶を通じて画像を表示する。前記トップシャーシは、前記収納部材と結合して、前記液晶表示パネルを前記収納部材に固定する。前記液晶表示装置は、前記ボトムシャーシの内部表面上のランプと対応する部分に凹陥部が形成されたことを特徴とする。本発明による液晶表示装置は、液晶表示装置の厚さを増大させず、部分的にランプと導電性収納部材の間隔を増大させることにより、ランプと導電性収納部材との間に発生するキャパシタの容量を小さくして、バックライトアセンブリの漏洩電流を減少させることができる。
【発明を実施するための最良の形態】
【００１４】
以下、添付図面を参照して、本発明の実施例をより詳細に説明する。
【００１５】
図１は、突出部が形成されない一般的なバックライトアセンブリの部分断面図である。図２は、本発明の一実施例によるバックライトアセンブリの部分断面図である。図３は、図２のＡ部分のとり得る形態の１つの例の部分拡大図である。図４は、図２のＡ部分のとり得る形態の他の例の部分拡大図である。図２３は、ランプの長さに沿った輝度変化を示すグラフである。
【００１６】
図１を参照すると、バックライトアセンブリは、複数個の（図では１つのみを表示する）ランプ３１０、ランプ反射板３２０、ボトムシャーシ（フレーム）３５０、及び光拡散部材３３０を含む。前記ランプ内部３１０は、放電された電子が移動するので、電流の流れが発生する。又、前記ボトムシャーシ３５０は、導体で構成されている。従って、ランプ３１０とボトムシャーシ３５０との間にキャパシタが形成されたものと同じ現象が生じる。結局、ランプに流れる電流の一部は、前記キャパシタに蓄電されることになり得るので、ランプ電流の漏洩現象が発生する虞がある。
【００１７】
キャパシタの蓄電容量は、両極板間の距離に反比例する関係があるので、ランプ３１０とボトムシャーシ３５０との間の距離Ｌ１を増加させることが好ましいが、本実施例では前記ランプ３１０とボトムシャーシ３５０との間の距離Ｌ１を増加させず、ランプ３１０とボトムシャーシ３５０とが対応する部分でのみ突出部（ランプから見ると凹陥部）を形成して、距離Ｌ１の増加効果を得ることができる。
【００１８】
図２３を参照すると、高圧側（ＨＯＴ）から低圧側（ＧＮＤ）までランプ３１０の長さに対する輝度変化を示した。曲線Ａはランプから１ｍｍ、曲線Ｂはランプから３ｍｍ、曲線Ｃはランプから５ｍｍ距離で、ボトムシャーシ３５０を近接させた時の輝度変化を示すグラフである。曲線Ｄはランプ単品の輝度変化を示すグラフである。ボックス内のＨＯＴ側の輝度（Ａ、Ｂ、Ｃ）が単品（Ｄ）と比較して高い理由は、ランプの漏洩電流が大きいので、ＧＮＤ側での管電流６ｍＡを合わせるために、ＨＯＴ側に入力される電流を増加させたためである。
【００１９】
前記グラフから分かるように、ランプ３１０とボトムシャーシ３５０との距離Ｌ１が増加するほど、漏洩する電流量が減少することが分かる。従って、同じＧＮＤ側で、同じ管電流を示すためには、ランプ３１０とボトムシャーシ３５０との距離Ｌ１が近いほど、高い初期電圧を印加しなければならない。このように、ランプ３１０とボトムシャーシ３５０との間隔は、漏洩電流を調節することができる重要な因子になる。
【００２０】
図２を参照すると、バックライトアセンブリ１００は、複数個（図では１つのみを表示する）のランプ３１０、反射板３２０、光拡散部材３３０、及びボトムシャーシ３５０を含む。図２において、Ａ部分の構造的特徴によって、前記漏洩電流を減少させることができる。
【００２１】
図３及び図４を参照すると、本実施例のバックライトアセンブリは、反射板３２０が不導体で構成されており、ボトムシャーシ３５０は、外方に突出された突出部３５５を形成している。反射板が不導体である場合、前記反射板３２０は、キャパシタの一極板として作用しないため、キャパシタの極板間隔は、ランプの中心点（Ｎ、Ｋ）から突出部３５５の内部表面までの距離（図４ではＲで表す）になる。前記突出部３５５は、図４の例では前記ランプの中心点Ｋと突出部の湾曲点Ｋ′が、ボトムシャーシ３５０に対する同じ垂直線上（Ｉ−Ｉ′）に存在する。
【００２２】
前記突出部３５５の形態は、一般的に言ってランプ３１０の軸方向に対する垂直断面の形状と相似の形状を有することが好ましいが、主に四角形のスペースを与えるもの（図３）又はアーチ形（図４）であることが好ましい。
【００２３】
前記アーチ形（図４）突出部３５５の場合、前記突出部３５５をランプの軸方向に対して垂直方向に切断した断面上での全ての点が、切断されたランプ断面上の中心点Ｋから同じ距離Ｒを有することが好ましい。これは、ランプ３１０と突出部３５５との間隔を極大化するためである。
【００２４】
前記突出部３５５の幅Ｌ２は、前記ランプ３１０の中心点（Ｎ，Ｋ）と突出部３５５の湾曲点Ｎ′，Ｋ‘を結ぶ線を半径として弧を描き該弧が、前記ボトムシャーシ３５０と交差する二点（図３のＭ、Ｍ′）間の距離になる。
【００２５】
前記突出部３５０は、図示されていないが前記バックライトアセンブリ３００の内部にランプ３１０と同じ数だけ存在する。
【００２６】
又、本実施例によるバックライトアセンブリ３５０は、多様な形態のランプ３１０に適用されることができる。
【００２７】
不導体である前記反射板３２０は平面構造を有するので、前記突出部３５５と前記反射板３２０との間で内部空間を形成する。内部空間が形成されないと、本発明によるランプ３１０と突出部３５５との間の間隔が確保されることができない。
【００２８】
図２は、本発明の上述の実施例によるバックライトアセンブリの変形例も示す部分断面図である。図５は、この変形例における図２のＡ部分の部分拡大図である。図６も他の変形例における、図２のＡ部分の部分拡大図である。図２のＡ部分の構造を除くと、前述した実施例のバックライトアセンブリ１００と同じなので、前述した実施例と同じ参照番号を付与して、その重複された説明は省略する。
【００２９】
図５及び図６を参照すると、前記反射板３２０は導体で構成されており従って、前記反射板３２０がキャパシタの極板の作用を生じる。従って、前記反射板３２０は、第２突出部３５５ｂを形成する。キャパシタの両極板間隔は、ランプ３１０の中心点と第２突出部３５５ｂの内部表面までの距離（図６でＲ′で示す）である。
【００３０】
前記第２突出部３５５ｂは、第１突出部３５５ａと同じ形状を有することが好ましい。
【００３１】
図７は、本発明の他の実施例によるバックライトアセンブリの部分断面図である。図８は、図７のＢ部分の部分拡大図である。図９は、本発明の他の実施例によるＢ部分の部分拡大図である。
【００３２】
図７を参照すると、バックライトアセンブリ２００は、複数個のランプ３１０、反射板３２０、光拡散部材３３０、及びボトムシャーシ３５０を含む。図７におけるＢ部分の構造的特徴によって、前記漏洩電流を減少させることができる。
【００３３】
図８及び図９を参照すると、本実施例のバックライトアセンブリは、反射板３２０が不導体で構成されており、ボトムシャーシ３５０は、内部表面に凹陥された凹陥部３５７を形成している。反射板３２０が不導体である場合、前記反射板３２０は、キャパシタの一極板として作用しないので、キャパシタの極板間隔は、ランプの中心点（Ｎ，Ｋ）から凹陥部３５７の内部表面までの距離（図９でＲで示す）になる。前記凹陥部３５７は、図９の例では前記ランプの中心点Ｋと凹陥部３５７の湾曲点Ｋ′が、ボトムシャーシ３５０に対する同じ垂直線上（II−II′）に存在する。
【００３４】
前記凹陥部３５７の形態は、一般的に言ってランプ３１０の軸方向に対する垂直断面の形状と相似の形状を有することが好ましいが、主に四角形（図８）又はアーチ形（図９）であることが好ましい。
【００３５】
前記アーチ形（図９）凹陥部３５７の場合、前記凹陥部３５７をランプの軸方向に対して垂直方向に切断した断面上で全ての点が、切断されたランプ３１０断面上の中心点からの同じ距離Ｒを有することが好ましい。これはランプ３１０と凹陥部３５７との間隔を極大化するためである。
【００３６】
前記凹陥部３５７の幅Ｌ３は、前記ランプ３１０の中心点（Ｎ、Ｋ）と凹陥部３５７の湾曲点（Ｎ′、Ｋ′）を半径として弧を描き該弧が、前記ボトムシャーシ３５０の上面と交差する二点（図８のＭ、Ｍ′）間の距離になる。
【００３７】
前記凹陥部３５７は図示されていないが、前記バックライトアセンブリ２００内部にランプ３１０の数だけ存在する。
【００３８】
又、本実施例によるバックライトアセンブリ２００は、多様な形態のランプ３１０を使用できる。
【００３９】
不導体である前記反射板３２０は、平面構造を有するので、前記凹陥部３５７と前記反射板３２０との間で内部空間を形成する。内部空間が形成されないと、本発明によるランプ３１０と凹陥部３５７との間の間隔が確保されることができない。
【００４０】
図７は、本発明の上述の実施例によるバックライトアセンブリの部分の変形例も示す断面図である。図１０は、本発明の１つの変形例によるＢ部分の部分拡大図である。図１１も、本発明の他の変形例によるＢ部分の部分拡大図である。図７のＢ部分の構造を除くと、バックライトアセンブリ２００と同じなので、前述した実施例と同じ参照番号を付与して、その重複説明は省略する。
【００４１】
本変形例は、反射板３２０が導体である場合に適用される。
【００４２】
図１０及び図１１を参照すると、前記反射板３２０は導体で構成されているので、前記反射板３２０が極板の役割を果たす。従って、キャパシタの両極板間隔Ｒ′は、ランプ３１０の中心点と第２凹陥部３５７ｂの内部表面までの距離である。
前記第２凹陥部３５７ｂは、凹陥部３５７ａと同じ形状を有することが好ましい。
【００４３】
図１２は、本発明の一実施例による液晶表示装置の分解斜視図である。図１３は、該実施例による液晶表示装置をIII−III′に沿って切断した断面図である。図１４は、本発明の他の実施例による液晶表示装置の垂直断面図である。図１５は、本発明の他の実施例による液晶表示装置の垂直断面図である。図１６は、本発明の他の実施例による液晶表示装置の垂直断面図である。
【００４４】
図１２乃至図１６を参照すると、本発明の一実施例による液晶表示装置１０００は、画像を表示するための液晶表示パネルアセンブリ２００と、前記液晶表示パネル２００に光を提供するためのバックライトアセンブリ３００を含む。前記液晶表示パネルアセンブリ２００は、液晶表示パネル２１０、データ印刷回路基板２２０、ゲート印刷回路基板２３０、データ側ＴＣＰ２４０、及びゲート側ＴＣＰ２５０で構成される。又、前記バックライトアセンブリ３００は、ミドルシャーシ４００及びボトムシャーシ３５０を含む。
【００４５】
前記液晶表示パネル２１０は画面を提供し、ＴＦＴ基板２１１、前記ＴＦＴ基板２１１と向かい合うカラーフィルター基板２１３及び前記ＴＦＴ基板２１１とカラーフィルター基板２１３との間に注入された液晶（図示せず）で構成される。  
【００４６】
ここで、前記ＴＦＴ基板２１１は、スイッチング素子であるＴＦＴ（図示せず）がマトリックス形態に形成された透明なガラス基板である。前記ＴＦＴのソース及びゲート端子には、それぞれデータ及びゲートラインが連結され、ドレイン端子には透明な導電性材質であるインジウムティンオキサイド（Ｉｎｄｉｕｍ  Ｔｉｎ  Ｏｘｉｄｅ；以下、ＩＴＯ）で構成された画素電極が形成される。前記ＴＦＴ基板２１１に対向して具備された前記カラーフィルター基板２１３は、通過する光により所定の色が発現される色画素であるＲＧＢ画素が薄膜工程により形成された基板である。前記カラーフィルター基板２１３の全面には、ＩＴＯからなる共通電極が塗布されている。
【００４７】
前記液晶表示パネル２１０に形成されている前記データラインは、前記データ側ＴＣＰ２４０を通じて前記データ印刷回路基板２２０と電気的に連結され、前記ゲートラインは、前記ゲート側ＴＣＰ２５０を通じて前記ゲート印刷回路基板２３０と電気的に連結される。従って、外部から電気的な信号を受信した前記データ及びゲート印刷回路基板２２０、２３０は、前記液晶表示パネルアセンブリ２００の駆動及び駆動時期を制御するための駆動信号及びタイミング信号を前記データ側及びゲート側ＴＣＰ２４０、２５０を通じて前記ゲートライン及びデータラインにそれぞれ伝送する。
【００４８】
一方、本実施例において、前記バックライトアセンブリ３００は、反射板３２０が不導体でボトムシャーシ３５０に形成された突出部３５５が四角形である場合（図３の例参照）、反射板３２０が不導体でボトムシャーシ３５０に形成された突出部３５５がアーチ形である場合（図４の例参照）、反射板３２０が導体でボトムシャーシ３５０に形成された突出部３５５が四角形である場合（図５の例参照）、及び反射板３２０が導体でボトムシャーシ３５０に形成された突出部３５５がアーチ形である場合（図６の例参照）を選択的に含むことができる。これらを液晶装置に組み込んだ例は図１３−２０に示されている。具体的な説明は、重複するので省略する。
【００４９】
図２１及び図２２を参照すると、図２１及び図２２はそれぞれボトムシャーシ３５０の突出部断面が四角形又はアーチ形である場合を図示したもので、前記図面は両方ともボトムシャーシ３５０の下側を示すものである。
【００５０】
図１２は、本発明の他の実施例による液晶表示装置の分解斜視図をも兼ねている。図１７は、その実施例による液晶表示装置をIII−III′に沿って切断した断面図である。図１８は、本発明の他の実施例による液晶表示装置の垂直断面図である。図１９は、本発明の他の実施例による液晶表示装置の垂直断面図である。図２０は、本発明の他の実施例による液晶表示装置の垂直断面図である。
【００５１】
本実施例による液晶表示装置は、収納部材である反射板３２０及びボトムシャーシ３５０を除くと、前述した液晶表示装置と同じなので、その差異点のみを説明する。
【００５２】
図１７乃至図２０を参照すると、本実施例による液晶表示装置のバックライトアセンブリは、反射板３２０が不導体でボトムシャーシ３５０に形成された凹陥部３５７が四角形である場合（図１７）、反射板３２０が不導体でボトムシャーシ３５０に形成された凹陥部３５７がアーチ形である場合（図１８）、反射板３２０が導体でボトムシャーシ３５０に形成された凹陥部３５７が四角形である場合（図１９）、及び反射板３２０が導体でボトムシャーシ３５０に形成された凹陥部３５７がアーチ形である場合（図２０）を選択的に含むことができる。
【産業上の利用可能性】
【００５３】
本発明による液晶表示装置は、バックライトアセンブリの収納部材に、複数個のランプと対応する複数個の突出部又は凹陥部を含むことにより、ランプとの間隔をより広く確保して、ランプと収納部材との間に形成されたキャパシタによるランプ電流の漏洩を減少させることができる。
【００５４】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５５】
【図１】突出部が形成されない一般的なバックライトアセンブリの部分断面図である。
【図２】本発明の一実施例によるバックライトアセンブリの部分断面図である。
【図３】図２のＡ部分の部分拡大図である。
【図４】本発明の他の実施例によるＡ部分の部分拡大図である。
【図５】本発明の他の実施例によるＡ部分の部分拡大図である。
【図６】本発明の他の実施例によるＡ部分の部分拡大図である。
【図７】本発明の他の実施例によるバックライトアセンブリの部分断面図である。
【図８】図７のＢ部分の部分拡大図である。
【図９】本発明の他の実施例によるＢ部分の部分拡大図である。
【図１０】本発明の他の実施例によるＢ部分の部分拡大図である。
【図１１】本発明の他の実施例によるＢ部分の部分拡大図である。
【図１２】本発明の一実施例による液晶表示装置の分解斜視図である。
【図１３】本発明の一実施例による液晶表示装置をIII−III′に沿って切断した断面図である。
【図１４】本発明の他の実施例による液晶表示装置の垂直断面図である。
【図１５】本発明の他の実施例による液晶表示装置の垂直断面図である。
【図１６】本発明の他の実施例による液晶表示装置の垂直断面図である。
【図１７】本発明の他の実施例による液晶表示装置の垂直断面図である。
【図１８】本発明の他の実施例による液晶表示装置の垂直断面図である。
【図１９】本発明の他の実施例による液晶表示装置の垂直断面図である。
【図２０】本発明の他の実施例による液晶表示装置の垂直断面図である。
【図２１】本発明の一実施例によるボトムシャーシの底部分を示す斜視図である。
【図２２】本発明の他の実施例によるボトムシャーシの底部分を示す斜視図である。
【図２３】ランプの長さに沿った輝度変化を示すグラフである。
【符号の説明】
【００５６】
２００    液晶表示パネルアセンブリ
２１０    液晶表示パネル
１００、２００、３００    バックライトアセンブリ
３１０    ランプ
３２０    反射板
３３０    光拡散部材
３５０    ボトムシャーシ
３５５    突出部
３５５ａ    第１突出部
３５５ｂ    第２突出部
３５７ａ    凹陥部
３５７ｂ    第２凹陥部
１０００、１１００    液晶表示装置
【図１】
2006066360.tif 000003
【図２】
2006066360.tif 000004
【図３】
2006066360.tif 000005
【図４】
2006066360.tif 000006
【図５】
2006066360.tif 000007
【図６】
2006066360.tif 000008
【図７】
2006066360.tif 000009
【図８】
2006066360.tif 000010
【図９】
2006066360.tif 000011
【図１０】
2006066360.tif 000012
【図１１】
2006066360.tif 000013
【図１２】
2006066360.tif 000014
【図１３】
2006066360.tif 000015
【図１４】
2006066360.tif 000016
【図１５】
2006066360.tif 000017
【図１６】
2006066360.tif 000018
【図１７】
2006066360.tif 000019
【図１８】
2006066360.tif 000020
【図１９】
2006066360.tif 000021
【図２０】
2006066360.tif 000022
【図２１】
2006066360.tif 000023
【図２２】
2006066360.tif 000024
【図２３】
2006066360.tif 000025